(57)【特許請求の範囲】
【請求項１】
帯状に延びる支持シートと、支持シート上に設けられるとともに、支持シートに沿って延びて互いに離間する一対の導電体または支持シートの長手方向に沿って配置された多数対の導電体と、導電体上に設けられた多数のＩＣチップと、を有し多数のインターポーザを含んだインターポーザ付シートと、
インターポーザ付シートの一方の面に形成され、非導電性接着剤からなる粘着性を有した粘着層と、
インターポーザ付シートに粘着層を介して重ねられた帯状に延びる剥離紙と、を備え、  インターポーザ付シートと剥離紙とを含む積層体として、巻取コアに巻き取られており、
インターポーザ付シートと剥離紙とを含む積層体を貫通しない切り込みであって、前記積層体のインターポーザ付シートの側からインターポーザ付シートを貫通して剥離紙まで延び入る切り込みが、各インターポーザを形成するようになる領域の外形に沿って、形成されていることを特徴とするインターポーザ付シートの巻体。
【請求項２】
インターポーザ付シートのインターポーザを形成するようなる領域よりも幅方向外方の位置に、インターポーザ付シートの長手方向に沿って、凸部が設けられていることを特徴とする請求項１に記載のインターポーザ付シートの巻体。
【請求項３】
インターポーザ付シートには、ＩＣチップ近傍であってＩＣチップの幅方向両外方の位置に、インターポーザ付シートの長手方向に延びる、切断用のミシン目が形成されていることを特徴とする請求項１または２に記載のインターポーザ付シートの巻体。
【発明の詳細な説明】
【技術分野】
【０００１】
本発明は、外部のリーダ・ライタと非接触でデータの授受を行うことができるＩＣタグに用いられるインターポーザ付シートの巻体およびＩＣタグに関する。
【背景技術】
【０００２】
外部のリーダ・ライタと非接触でデータの授受を行う非接触ＩＣタグとして、一対の接点を有するアンテナ回路が形成されたアンテナ形成済シートと、インターポーザとを備えるものが知られている。このうち、アンテナ形成済シートは基材シートと基材シート上に設けられたアンテナ回路とからなり、アンテナ回路の形状は、ＩＣタグとリーダ・ライタとの間でデータの送受信を行う際の電磁波の周波数によって決定される。
【０００３】
一方、インターポーザは一対の拡大電極と、各々が異なる拡大電極に接続された一対の電極を有するＩＣチップとを有している。なお、リーダ・ライタとデータの送受信する際に用いられる電磁波の周波数帯によっては、一対の拡大電極がアンテナとして機能し、アンテナ形成済シートと組み合わせることなく、一対の拡大電極とＩＣチップとを有するインターポーザをそのままＩＣタグとして用いることができる。本願におけるインターポーザという用語は、このようなＩＣタグを含んだ概念である。
【０００４】
このようなインターポーザは、支持シート上に送り方向に延びる一対の導電体を設け、次に一対の導電体間にＩＣチップを連続して配置することによってまずインターポーザ付シートを作製し、このＩＣタグ付シートをＩＣチップ毎に断裁することによって得られる。作製されたインターポーザは、その後、各拡大電極をアンテナ回路の異なる接点に接合することにより、アンテナ形成済シート上に固定される。
【０００５】
この場合、インターポーザ付シートを巻取コアに巻き付けたインターポーザ付シートの巻体を予め作製しておき、異なる形状を有するアンテナ形成済シートへ実装する各ラインへ投入すれば、様々な種類のＩＣタグを効率的に製造することができる。その一方で、インターポーザ付シートを巻取コア等に巻き取った場合、ＩＣチップが割れてしまったり、欠けてしまったりする虞がある。
【０００６】
また、インターポーザとアンテナ形成済シートとの接合は、通常、各拡大電極とアンテナ回路の接点とをかしめることにより行われている。また、かしめは各拡大電極とアンテナ回路の接点とを電気的に接合させることも目的としている。この場合、インターポーザとアンテナ形成済シートとの接合が局所的で接合強度が弱いという問題点がある。またこの場合、拡大電極は箔等のような強度の弱い材料では不十分であり、アルミ板のような強度の強い材料から拡大電極を形成する必要がある。その一方で、インターポーザとアンテナ形成済シートとの間に都度接着剤を塗布することは煩雑であり、ＩＣタグの製造原価を上昇させる原因となる。
【０００７】
さらに、昨今においては分別廃棄の必要性が高まり、ＩＣタグからＩＣチップを分別して廃棄することが求められている。したがって、仮にインターポーザとアンテナ形成済シートとを強固に接合することができたとすると、ＩＣタグからＩＣチップを容易に引き剥がすことができないという問題が生じてしまう。
【発明の開示】
【発明が解決しようとする課題】
【０００８】
本発明は上述した問題点を考慮してなされたものであり、後工程でインターポーザをアンテナ形成済シートに容易かつ強固に固定することができるインターポーザ付シートを巻取コアに巻き取ったインターポーザ付シートの巻体およびＩＣタグを提供することを目的とする。
【０００９】
また、ＩＣタグを廃棄する際にＩＣタグからＩＣチップを容易に分別することができるインターポーザ付シートおよびＩＣタグを提供することを目的とする。
【課題を解決するための手段】
【００１０】
本発明は、帯状に延びる支持シートと、支持シート上に設けられるとともに、支持シートに沿って延びて互いに離間する一対の導電体と、導電体上に設けられた多数のＩＣチップとを有するインターポーザ付シートを備え、インターポーザ付シートの一方の面に非導電性接着剤が塗布されており、インターポーザ付シートは巻取コアに巻き取られていることを特徴とするインターポーザ付シートの巻体である。
【００１１】
本発明は、帯状に延びる支持シートと、支持シート上に設けられるとともに、支持シートの長手方向に沿って配置された多数対の導電体と、導電体上に設けられた多数のＩＣチップとを有するインターポーザ付シートを備え、インターポーザ付シートの一方の面に非導電性接着剤が塗布されており、インターポーザ付シートは巻取コアに巻き取られていることを特徴とするインターポーザ付シートの巻体である。
【００１２】
本発明は、インターポーザ付シートの非導電性接着剤を塗布されていない側の面が剥離処理されていることを特徴とするインターポーザ付シートの巻体である。
【００１３】
本発明は、インターポーザ付シートは、帯状に延びる剥離紙を重ねられて巻取コアに巻き取られていることを特徴とするインターポーザ付シートの巻体である。
【００１４】
本発明は、非導電性接着剤は熱可塑性接着剤であることを特徴とするインターポーザ付シートの巻体である。
【００１５】
本発明は、インターポーザ付シートに長手方向に沿って凸部が設けられていることを特徴とするインターポーザ付シートの巻体である。
【００１６】
本発明は、インターポーザ付シートに保護フィルムを積層することにより、あるいはＩＣチップを樹脂封止することにより、ＩＣチップが保護処理されていることを特徴とするインターポーザ付シートの巻体である。
【００１７】
本発明は、インターポーザ付シートの長手方向に直交する幅方向の縁部近傍に、長手方向に沿って等間隔に孔が設けられていることを特徴とするインターポーザ付シートの巻体である。
【００１８】
本発明は、インターポーザ付シートの長手方向に延びるミシン目がＩＣチップ近傍に設けられていることを特徴とするインターポーザ付シートの巻体である。
【００１９】
本発明は、ＩＣチップと導電体との間に非導電性接着剤または異方性導電性接着剤が塗布されているとともに、ＩＣチップと導電体とが熱圧着接合または超音波接合により電気的に接合されていることを特徴とするインターポーザ付シートの巻体である。
【００２０】
本発明は、基材シートと、基材シート上に設けられたアンテナ回路とからなるアンテナ形成済シートと、アンテナ形成済シート上に配置され、支持シートと、支持シート上に設けられた一対の拡大電極と、拡大電極上に設けられるとともに拡大電極に接続されたＩＣチップとを有するインターポーザとを備え、インターポーザの拡大電極側の面がアンテナ形成済シートのアンテナ回路側の面に対面し、インターポーザとアンテナ形成済シートとが非導電性接着剤を介して固定されていることを特徴とするＩＣタグである。
【００２１】
本発明は、基材シートと、基材シート上に設けられたアンテナ回路とからなるアンテナ形成済シートと、アンテナ形成済シート上に配置され、支持シートと、支持シート上に設けられた一対の拡大電極と、拡大電極上に設けられるとともに拡大電極に接続されたＩＣチップとを有するインターポーザとを備え、インターポーザの拡大電極側の面がアンテナ形成済シートのアンテナ回路が設けられていない側の面に対面し、インターポーザとアンテナ形成済シートとが非導電性接着剤を介して固定されていることを特徴とするＩＣタグである。
【００２２】
本発明は、基材シートと、基材シート上に設けられたアンテナ回路とからなるアンテナ形成済シートと、アンテナ形成済シート上に配置され、支持シートと、支持シート上に設けられた一対の拡大電極と、拡大電極上に設けられるとともに拡大電極に接続されたＩＣチップとを有するインターポーザとを備え、インターポーザの拡大電極が設けられていない側の面がアンテナ形成済シートのアンテナ回路側の面に対面し、インターポーザとアンテナ形成済シートとが非導電性接着剤を介して固定されていることを特徴とするＩＣタグである。
【００２３】
本発明は、基材シートと、基材シート上に設けられたアンテナ回路とからなるアンテナ形成済シートと、アンテナ形成済シート上に配置され、支持シートと、支持シート上に設けられた一対の拡大電極と、拡大電極上に設けられるとともに拡大電極に接続されたＩＣチップとを有するインターポーザとを備え、インターポーザの拡大電極が設けられていない側の面がアンテナ形成済シートのアンテナ回路が設けられていない側の面に対面し、インターポーザとアンテナ形成済シートとが非導電性接着剤を介して固定されていることを特徴とするＩＣタグである。
【００２４】
本発明は、インターポーザの拡大電極はアンテナ回路にかしめ、超音波接合、熱圧着または溶接により接続されていることを特徴とするＩＣタグである。
【発明の効果】
【００２５】
本発明によれば、接着剤を塗布された状態でインターポーザ付シートが巻取コアに巻き取られている。したがって、本発明によるインターポーザ付シートの巻体を用いることにより様々な種類のＩＣタグを効率的に製造することができる。また、製造されたＩＣタグにおいて、インターポーザはアンテナ形成済シートに強固に固定される。
【発明を実施するための最良の形態】
【００２６】
以下、図面を参照して本発明の一実施の形態について説明する。
【００２７】
図１乃至図１０は本発明によるインターポーザ付シートの巻体およびインターポーザ付シートの巻体を用いて製造されたＩＣタグを示す図である。
【００２８】
このうち、図１および図２は本発明によるインターポーザ付シートの巻体の一実施の形態の製造方法を示す斜視図であり、図３は図２の３−３線に沿ったインターポーザ付シートの断面図であり、図４は導電体を積層された支持シートの変形例を示す斜視図であり、図５はＩＣタグのアンテナ形成済シートを示す斜視図であり、図６乃至図９はＩＣタグを示す断面図であり、図１０はＩＣタグのアンテナ形成済シートの変形例を示す斜視図である。
【００２９】
［インターポーザ付シートの巻体］
まず図１乃至図３によりインターポーザ付シートの巻体１について説明する。
【００３０】
図１乃至図３に示すように、本実施の形態によるインターポーザ付シートの巻体１はインターポーザ付シート２と帯状に延びる剥離紙２３とを重ねた積層体４を巻取コア１ａに巻き取ったものである。
【００３１】
このうち、インターポーザ付シート２は、帯状に延びる支持シート１０と、支持シート１０上に設けられるとともに、支持シート１０に沿って延びて互いに離間する一対の導電体１２と、導電体１２上に設けられた多数のＩＣチップ１５とを有している（図１）。支持シート１０は非導電性の紙やＰＥＴ等からなり、導電体１２は導電性を有するアルミや銅等の導電箔や導電性インキ等からなっている。
【００３２】
ＩＣチップ１５と導電体１２との間に異方性導電性接着剤１８が塗布されており、この異方性導電性接着剤１８を介して、ＩＣチップ１５が導電体１２上に固定されている。ＩＣチップ１５は先端が尖った一対の電極１５ａ，１５ａを有している。図３に示すように、この電極１５ａは導電体１２に突き刺ささっており、ＩＣチップ１５の電極１５ａと導電体１２とが電気的に接合されている。
【００３３】
異方性導電性接着剤は、例えば、ニッケル、銀等の導電性の粒子を含んだ非導電性の熱硬化性樹脂からなっている。したがって、一対の導電体を跨がるように異方性導電性接着剤を塗布したとしても、一対の導電体１２同士が導通してしまうことはない。
【００３４】
なお、平坦状の電極１５ａを有するＩＣチップ１５を用いることも可能であり、この場合、熱圧着接合により導電性の粒子を介してＩＣチップ１５の電極１５ａと導電体１２とを電気的に接合することができる。また、異方性導電性接着剤１８に代えて非導電性接着剤を用いることも可能であり、この場合、超音波接合によりＩＣチップ１５の電極１５ａと導電体１２とを電気的に接合することができる。
【００３５】
また、本実施の形態においては、ＩＣチップ１５上と導電体２２の一部分上とに保護フィルム２１が接着剤を介して積層されている。保護フィルム２１の積層は、インターポーザとして使用される際やインターポーザ付シートを巻き取る際に、ＩＣチップ１５が欠けてしまったり導電体１２（拡大電極１３）上でずれてしまったりすることを防止するための、ＩＣチップ１５に対する保護処理である。本実施の形態において、保護フィルム２１はＩＣチップ２０と導電体２２の一部とを覆っている例を示しめしているが（図３）、これに限られない。保護フィルム２１がＩＣチップ１５のみを覆うようしてもよいし、またＩＣチップ１５と導電体１２の全体とを覆うようにしてもよい。さらに、ＩＣチップ２０の保護処理を、保護フィルム２１のＩＣチップ１５上への積層に代え、ＩＣチップ１５を樹脂封止することにより行ってもよい。なお、このような保護処理は不可欠のものではなく、保護処理を省いてもよい。
【００３６】
インターポーザ付シート２の上面（導電体１２が設けられて側の面）には非導電性接着剤２５が塗布され、非導電性接着剤層が形成されている。上述した剥離紙２３は、この接着剤層を覆うようにインターポーザ付シート２上に積層されている。したがって、インターポーザ付シートの巻体１において、非導電性接着剤２５によって重なり合うインターポーザ付シート２が接着されてしまうことを防止することができ、インターポーザ付シートの巻体１からインターポーザ付シート２を容易に繰り出すことができる。
【００３７】
なお、剥離紙２３の積層に代えて、インターポーザ付シート２の非導電性接着剤２５が塗布されていない側の面を剥離処理することによっても、同様の作用効果を得ることができる。また、この場合、インターポーザ付シートの巻体１からインターポーザ付シート２を繰り出した際に、廃棄物が生じない点で好ましい。
【００３８】
また、非導電性接着剤２５として熱可塑性接着剤を用いてもよい。熱可塑性接着剤は常温において粘着性を有さないため、インターポーザ付シート２を巻き取る際に、剥離紙２３を不要とすることができる。
【００３９】
図２に示すように、インターポーザ付シート２は打ち抜き装置７１によりインターポーザ６の形状に合わせてＩＣチップ毎に切り込み３５を入れられている。この切り込み３５はインターポーザ付シート２の長手方向（図１および図２における太矢印の方向、送り方向ともいう）に直交する幅方向に細長く延びるインターポーザ６の外形に対応した形状となっている。例えば、本実施の形態による切り込み３５は、長方形の外周形状となっている。図３に示すように、切り込み３５はインターポーザ付シート２と剥離紙２３との積層体４のインターポーザ付シート２側から形成されている。この切り込み３５は所謂ハーフカットであり、支持シート１０および導電体１２は分断されているが、剥離紙２３は分断されていない。このため、インターポーザ付シートの巻体１より繰り出されたインターポーザ付シート２と剥離紙２３との積層体４から、支持シート１０に支持され、導電体１２から形成された一対の拡大電極１３と、拡大電極１３に接続されたＩＣチップ１５とを有するインターポーザ６を容易に取り剥がすことができる。また、取り剥がされたインターポーザ６は導電体が設けられた側の面に非導電性接着剤２５からなる接着剤層が形成されている。このため、支持シート１０側の面を露出させるようにして、インターポーザ６を所望の場所にそのまま貼り付けＩＣタグを作製することができる。
【００４０】
なお、本発明によるインターポーザ付シートの巻体１から得られたインターポーザ６を用いたＩＣタグ５およびＩＣタグ５の製造方法については後述する。
【００４１】
また、リーダ・ライタとデータの送受信する際に用いられる電磁波の周波数帯によっては、一対の拡大電極１３がアンテナとして機能し、一対の拡大電極１３とＩＣチップ１５とを有するインターポーザ６をアンテナ形成済シート７と組み合わせることなくＩＣタグ５として用いることができる。本願におけるインターポーザ６という用語は、このようなＩＣタグ５を含んだ概念である。
【００４２】
インターポーザ付シート２と剥離紙２３との積層体４には、長手方向に直交する幅方向の両縁部近傍であって切り込み３５より外方の位置にエンボス加工が施され、長手方向に沿って凸部３３が形成されている。エンボス加工はインターポーザ付シート２のＩＣチップ１５が設けられていない側の面から施されており（図２）、凸部３３はインターポーザ付シート２のＩＣチップ３３側の面から突出している（図３）。また、図３に示すように、凸部３３における積層体４の厚みＨ１はＩＣチップ１５が配置された部分の積層体の厚みＨ２に比べ同等以上の厚みとなっている。なお、本実施の形態において、図２に示すように、凸部３３の形状は上面視において円形状となっているが、これに限られず、線状やその他の形状でもよい。
【００４３】
また、インターポーザ付シート２には、長手方向に直交する幅方向の両縁部近傍であって凸部３３より外方の位置に長手方向に沿って貫通孔３１が多数設けられている（図３）。この貫通孔３１は、インターポーザ付シートの巻体１の製造する際、およびインターポーザ付シートの巻体１からインターポーザ６を作製する際に、インターポーザ付シート２を正確に搬送するためおよび位置決めするために用いられる。
【００４４】
さらに、図２および図３に示すように、インターポーザ付シート２に長手方向に延びるミシン目３７が形成されている。図３に示すように、このミシン目３７はＩＣチップ１５の近傍であって、ＩＣチップ１５の幅方向両外方に配置されている。したがって、本実施の形態によるインターポーザ付シートの巻体１から得られたインターポーザ６を、ミシン目３７に沿って３つの部分に容易に分断することができる。これにより、インターポーザ６、あるいはこのインターポーザ６を用いて作製されたＩＣタグからＩＣチップ１５の部分を容易に分離することができ、分別廃棄の観点から非常に好ましい。
【００４５】
次に上述したインターポーザ付シートの巻体１の製造方法について、図１および図２によりさらに詳述する。
【００４６】
図１および図２は上述したようにインターポーザ付シートの巻体１の製造方法を示す斜視図であり、図１の左側から右側に工程が進み、さらにその後、図２の左側から右側に工程が進んでいく。
【００４７】
図１に示すように、まず帯状に延びる支持シート１０が供給されてローラー５１に送られるとともに、支持シート１０に沿って帯状に延びる導電体１２が供給されてローラー５１へと送られる。この間、支持シート１０と導電体１２との間に図示しない加圧接着タイプの接着剤が塗布される。その後、支持シート１０と導電体１２とがローラー５１によって圧着されることにより、支持シート１０と導電体１２とは互いに接着固定され、導電体１２が支持シート１０上に積層される。
【００４８】
次に、支持シート１０と導電体１２とは、パンチング装置５４により貫通孔３１を長手方向に沿って形成される。図１に示すように、この貫通孔３１は支持シート１０と導電体１２の積層体の幅方向縁部近傍に設けられている。図１および図２に示すように、これ以降の工程においては、この貫通孔３１に係合する位置決めピン５２ａを有するローラー５２により、支持シート１０はローラー５２上で滑ることなく正確に搬送される。貫通孔３１と位置決めピン５２ａの係合により製造工程中における幅方向への移動が規制されるとともに、貫通孔３１を基準として送り方向における位置決めがなされる。このため、精度良く、インターポーザ付シートの巻体１を製造することができる。
【００４９】
なお、本実施の形態においては、図１に示すように、導電体１２の幅と支持シート１０の幅を同一とし、貫通孔３１はこれら両者を貫通して形成されている例を示したが、これに限られず、両者の幅は異なってもよく、その場合、貫通孔３１は幅の広い方のみを貫通するようにしてもよい。
【００５０】
その後、導電体１２が、送り方向に沿って幅方向の中央をカッター５７により切断され、導電体１２が一対に分断される。この場合、一対の導電体１２の隙間の幅が、ＩＣチップ１５の電極１５ａ間の幅より小さくなるよう、導電体１２は切断される。また、図１および図３に示すように、カッター５７による切断はいわゆるハーフカットであり、導電体１２と支持シート１０との積層体の全厚みを切り込むのではなく、導電体１２のみが分断され、支持シート１０は分断されることはない。
【００５１】
次に、図１に示すように、ディスペンサ５９またはスクリーン印刷機等により、一対の導電体間１２を跨ぐように異方性導電性接着剤１８が塗布される。その後、図１に示すように、異方性導電性接着剤１８を塗布された部分に、一対の電極１５ａを有するＩＣチップ１５が順次実装される。この場合、ＩＣチップ１５は、その各電極１５ａがそれぞれ異なる導電体１２に対面するように位置決めされた後、導電体１２上に配置される。
【００５２】
導電体１２上に配置されたＩＣチップ１５は、その後、熱圧着機により加熱されるとともに導電体１２に向けて押圧される。このとき、ＩＣチップ１５が導電体１２に押し込まれることにより、ＩＣチップ１５の尖った先端を有する電極１５ａが導電体１２に突き刺ささって接触する。また加熱されることにより異方性導電性接着剤が固化する。これにより、ＩＣチップ１５はより強固に導電体１２上に固定されるとともに、ＩＣチップ１５の各電極１５ａと各導電体１２との間における電気的な接続を確実に得ることができる。
【００５３】
またさらに、ＩＣチップ１５と導電体形成済シート６とに超音波振動を与えることにより、これらを超音波接合してもよい。この場合、接着剤層を溶かし、または破り、ＩＣチップ１５の電極１５ａと導電体１２とが金属結合し、ＩＣチップ１５が導電体１２上に確実に固定されるとともに、各電極１５ａと各導電体１２との間における電気的な接続を確実に得ることができる。
【００５４】
このようにして、帯状に延びる支持シート１０と、支持シート１０上に設けられるとともに、支持シート１０に沿って延びて互いに離間する一対の導電体１２と、導電体１２上に設けられた多数のＩＣチップ１５とを有するインターポーザ付シート２が作製される。
【００５５】
その後、本実施の形態によれば、図１に示すように、保護フィルム２１がＩＣチップ１５上と導電体１２の一部上とに積層される。保護フィルム２１は所謂テープ状になっており、ＩＣチップ１５に面する側に接着層が形成されており、この接着層を介して保護フィルム２１はインターポーザ付シート２に固定される。なお、このような保護フィルム２１は不可欠のものではなく、後述するようにインターポーザ付シート２に保護フィルム２１を設けなくてもよい。
【００５６】
次に、図２に示すようにスクリーン印刷機６５またはディスペンサ等により、非導電性接着剤２５が導電体１２と保護フィルム２１との上（図２の斜線部分）に塗布される。本実施の形態において、非導電性接着剤２５は導電体１２の両縁部近傍を除く部分上と保護フィルム２１上とに塗布されている。
【００５７】
その後、回転自在で外周部に切り刃を有する円板カッター６８をＩＣチップの両脇部分に押し当てることにより、保護フィルム２１と導電体１２と支持シート１０とに長手方向に沿った切断用のミシン目３７が形成される。
【００５８】
次に、インターポーザ付シート２の非導電性接着剤２５が塗布された面上に剥離紙２３が積層される。その後、上述したように、打ち抜き装置７１によって支持シート１０と導電体１２と保護フィルム２１とに切り込み３５がＩＣチップ１５毎に順次形成される。これにより、支持シート１０に支持され、導電体１２から形成された一対の拡大電極１３と、拡大電極１３に接続されたＩＣチップ１５とを有するインターポーザ６が、帯状に延びる１枚の剥離紙２３に接着された状態で順次長手方向に沿って形成される。
【００５９】
次に、エンボス加工機７４により、インターポーザ付シート２の幅方向縁部近傍であって貫通孔３１の内方に凸部３３が長手方向に沿って順次形成される。この場合、凸部３３はインターポーザ付シート２に積層された剥離紙２３にも形成される。その後、巻取コア１ａに巻き取られてインターポーザ付シートの巻体１が得られる。
【００６０】
以上のように本実施の形態によれば、インターポーザ付シートの巻体１から得られるインターポーザ６には広範囲に渡って非導電性接着剤２５が塗布されているので、インターポーザ６を所望の場所に強固に固定することができる。また、ＩＣタグ５の製造において個々のインターポーザ６に接着剤を塗布することに比べ、シート状のインターポーザ付シート２に接着剤を連続して塗布することの方が効率的である。これにより、最終的なＩＣタグ５の製造原価を減少させることができる。
【００６１】
また、非導電性接着剤２５を塗布されたインターポーザ付シート２は剥離紙２３とともに巻取コア１ａに巻き取られているので、インターポーザ付シートの巻体１からインターポーザ付シート２を容易に繰り出すことができる。
【００６２】
さらに、インターポーザ付シート２の幅方向両縁部近傍には長手方向に沿ってエンボス加工機７４により凸部３３が形成されている。凸部３３の部分におけるインターポーザ付シート２の厚みＨ１はＩＣチップ１５が配置された部分のインターポーザ付シート２の厚みＨ２に比べて同等以上の厚みとなっている。したがって、インターポーザ付シート２は凸部３３が重なるようにして巻取コア１ａに巻き取られている。このため、インターポーザ付シートの巻体１中においてＩＣチップ１５へ加えられる応力を小さくすることができ、ＩＣチップ１５が破損してしまうことを防止することができる。また、インターポーザ付シートの巻体１の巻き姿が安定し、巻き戻りを防止することができる。
【００６３】
さらに、インターポーザ付シート２の幅方向両縁部近傍には長手方向に沿って多数の貫通孔３１が形成されている。貫通孔３１により、支持シート１０と導電体１２との積層体の位置決めを行うことにより、精度良くインターポーザ付シートを製造することができる。
【００６４】
さらにまた、ＩＣチップの近傍であって幅方向両外方に、長手方向に延びるミシン目３７が形成されている。インターポーザ付シートの巻体１から得られたインターポーザ６をミシン目３７に沿って分断することにより、インターポーザ６からＩＣチップ１５を取り除くことができ、ＩＣチップ１５を容易に分別廃棄することができる。
【００６５】
またインターポーザ付シートの巻体１から繰り出されるインターポーザ付シート２には、インターポーザ６の形状に沿って支持シート１０と導電体１２と保護フィルム２１とを分断する切り込み３５が設けられている。したがって、インターポーザ６は剥離紙２３に非導電性接着剤２３を介して保持されているだけであり、インターポーザ付シートの巻体１からインターポーザ６を容易に得ることができる。上述したように、得られたインターポーザ６の拡大電極１３には、非導電性接着剤２５からなる粘着層が形成されているため、あらためて接着剤を塗布することなくインターポーザ６を所望の場所に、所謂シールのように貼り付けることができる。
【００６６】
なお、本実施の形態において、非導電性接着剤２５が導電体１２の両縁部近傍以外の部分上と保護フィルム２１上とに（すなわち、図２の斜線部分に）塗布された例を示したが、これに限られず、インターポーザ付シートの巻体１から得られるインターポーザ６の使用方法に合わせて塗布範囲を変更することができる。
【００６７】
また、本実施の形態においては、インターポーザ付シート２の導電体１２が設けられた側の面に非導電性接着剤２５を塗布する例を示したが、これに限られない。後述するように、インターポーザ６の使用方法に合わせて、非導電性接着剤２５はインターポーザ付シート２の導電体１２が設けられた側の面と、導電体１２が設けられていない側の面とのうちのどちらか一方の面に塗布されていればよい。非導電性接着剤２５がインターポーザ付シート２の導電体１２が設けられていない側の面に塗布されている場合には、剥離紙２３はインターポーザ付シート２の導電体１２が設けられていない側（非導電性接着剤２５が塗布された側）に重ねて巻取コア１ａに巻き取られる。
【００６８】
さらに、本実施の形態において、帯状に延びる支持シート１０上に設けられるとともに、支持シート１０に沿って延びて互いに離間する一対の導電体１２を例示したが、導電体１２はこれに限られない。図４に示すように、帯状に延びる支持シート１０上に設けられるとともに、幅方向に離間して対をなし支持シート１０の長手方向に沿って配置された多数対の導電体１２としてもよい。このような導電体１２は、エッチング、導線性インキの印刷、或いは箔の転写によって支持シート１０上に形成され得る。このような導電体１２を設けられた支持シート１０を用いて、上述した方法によりインターポーザ付シートの巻体１を製造してもよい。
【００６９】
［ＩＣタグ］
次に、上述したインターポーザ付シートの巻体１から得られたインターポーザ６と、アンテナ形成済シート７，４４とから製造されるＩＣタグ５について詳述する。
【００７０】
まず、アンテナ形成済シート７について図５により説明する。
【００７１】
アンテナ形成済シート７は基材シート４１とアンテナ回路４２とからなっている。このうちアンテナ回路４２は、例えば、図５に示すように、渦巻き状の回路部４２ｂと回路部４２ｂの両端からなる一対の接点４２ａとから形成されている。このようなアンテナ形成済シート７は、例えば、基材シート４１にアンテナ回路４２をエッチング、箔の転写または印刷機で印刷すること等によって作製される。基材シート４１は非導電性の紙やＰＥＴ等からなり、アンテナ回路４２は導電性を有するアルミや銅等の導電箔や導電性インキ等からなる。
【００７２】
このようなアンテナ形成済シート７上に上述したインターポーザ６を配置し、インターポーザ６の各拡大電極１３をアンテナ回路４２の異なる接点４２ａに接続することにより、ＩＣタグ５が得られる。
【００７３】
上述したインターポーザ付シートの巻体１から得られるインターポーザ６を用いることにより異なる形式のＩＣタグ５を容易に作製することができる。
【００７４】
インターポーザ６の拡大電極１３（導電体１２）側の面に非導電性接着剤２５が塗布されている場合には、インターポーザ６の拡大電極１３（導電体１２）側の面が、アンテナ形成済シート７のアンテナ回路４２側の面に対面するよう（図６）、或いはアンテナ形成済シート７のアンテナ回路４２が設けられていない側の面に対面するよう（図７）、配置することが好ましい。どちらの場合においても、インターポーザ６とアンテナ形成済シート７は、インターポーザ６に予め塗布された非導電性接着剤２５を介して強固に接合される。また、ＩＣチップ１５は支持シート１０と基材シート２０との間に配置される。したがって、図６および図７に示すように保護フィルム２１を設けることなく、ＩＣタグ５の使用中にＩＣチップ１５に欠けやずれが生じてしまうことを防止することができる。
【００７５】
ところで、インターポーザ６の拡大電極１３側の面が、アンテナ形成済シート７のアンテナ回路４２側の面に対面するよう（図６）配置した場合、導電性を有する拡大電極１３とアンテナ回路２２とが対面することになる。しかしながら、拡大電極１３とアンテナ回路２２との間に非導電性接着剤２５が配置されているので、アンテナ回路２２は拡大電極１３から絶縁され、電気的に接続されることはない。これにより、アンテナ回路２２が拡大電極１３によって短絡されてしまうことを防止することができる。
【００７６】
一方、インターポーザ６の拡大電極１３（導電体１２）が設けられていない側の面に非導電性接着剤２５が塗布されている場合には、インターポーザ６の拡大電極１３が設けられていない側の面が、アンテナ形成済シート７のアンテナ回路４２側の面に対面するよう（図８）、或いはアンテナ形成済シート７のアンテナ回路４２が設けられていない側の面に対面するよう（図９）、配置することが好ましい。どちらの場合においても、インターポーザ６とアンテナ形成済シート７は、インターポーザ６に予め塗布された非導電性接着剤２５を介して強固に接合される。また、インターポーザ６のアンテナ形成済シート７に対面する側の面はＩＣチップ１５が配置されていないため平坦であり、インターポーザ６とアンテナ形成済シート７との接合はさらに強固となる。
【００７７】
以上のようにして配置されたインターポーザ６の拡大電極１３とアンテナ回路４２の接点４２ａは、かしめ、超音波接合、熱圧着、或いは溶接により接合される。これにより、インターポーザ６の拡大電極１３とアンテナ回路４２の接点４２ａとの間に配置された、支持シート１０、基材シート４１、或いは非導電性接着剤２５からなる接着剤層は破られまたは溶かされ、インターポーザ６の拡大電極１３とアンテナ回路４２の接点４２ａとは確実に電気的に接合される。
【００７８】
なお、非導電性接着剤２５が上述したように熱可塑性接着剤からなる場合には、まず加熱することにより接着剤を溶かしてインターポーザ６とアンテナ回路形成済シート７とを接合した後、インターポーザ６の拡大電極１３とアンテナ回路４２の接点４２ａとが、かしめ、超音波接合、熱圧着、或いは溶接により接合される。これにより、インターポーザ６とアンテナ回路形成済シート７とが強固に固定されるとともに、インターポーザ６の拡大電極１３とアンテナ回路４２の接点４２ａとが確実に電気的に接合される。
【００７９】
このようにして、基材シート４１と基材シート４１上に設けられたアンテナ回路４２とからなるアンテナ形成済シート７と、アンテナ形成済シート７上に配置され、支持シート１０と、支持シート１０上に設けられた一対の拡大電極１３と、拡大電極１３上に設けられるとともに拡大電極１３に接続されたＩＣチップ１５とを有するインターポーザ６とを備えたＩＣタグ５が得られる。
【００８０】
以上のように本実施の形態によるＩＣタグ５によれば、インターポーザ６は非導電性接着剤２５によりインターポーザ６のどちらか一方の面の大部分を介してアンテナ形成済シート７に接合されている。したがって、インターポーザ６とアンテナ形成済シート７とが強固に固定され、ＩＣタグ５の使用中にインターポーザ６がアンテナ形成済シート７から剥がれてしまうことを防止することができる。
【００８１】
さらに、インターポーザ６のＩＣチップ１５の近傍であって幅方向両外方に、ミシン目３７が形成されている。インターポーザ６をミシン目３７に沿って分断することにより、ＩＣチップ１５をインターポーザ６から容易に分離することができ、これにより、ＩＣタグ５を廃棄する際にＩＣタグ５からＩＣチップ１５を容易に分別廃棄することができる。
【００８２】
なお、インターポーザ付シート２の場合と同様にインターポーザ６のどちらか一方の全面に非導電性接着剤２５が塗布されている必要はない。ＩＣチップ１５に対応する部分、すなわち、ＩＣチップ１５とアンテナ形成済シート７との間に配置されアンテナ形成済シート７に対面する部分（本実施の形態においては支持シート１０または保護フィルム２１の部分）、或いはアンテナ形成済シート７に対面するＩＣチップ１５自体の表面の部分に非導電性接着剤を塗布しないようにしてもよい。この場合、ミシン目３７に沿って切り取られるＩＣチップ１５を含む部分はアンテナ形成済シート７に固定されていないので、ＩＣチップ１５の分別廃棄をさらに容易に行うことができる。
【００８３】
ただし、インターポーザ６の拡大電極１３側の面が、アンテナ形成済シート７のアンテナ回路４２側の面に対面するように配置する場合（図６）には、少なくとも、アンテナ形成済シート７に対面する拡大電極１３（導電体１２）自体の表面の部分に非導電性接着剤２５を塗布しておくことが必要である。上述したように、アンテナ回路４２が拡大電極１３によって短絡されてしまうことを防止するためである。
【００８４】
さらに、アンテナ形成済シート７のアンテナ回路４２の形状は、ＩＣタグ５とリーダ・ライタとの間でデータの送受信を行う際の電磁波の周波数によって決定される。したがって、アンテナ回路４２は上述した渦巻き状に限られず、例えば、図１０に示すような一対の棒状のアンテナ回路４５から形成されることもある。このようなアンテナ形成済シート７を用いた場合においても、上述した方法によりＩＣタグ５を作製することができる。
【図面の簡単な説明】
【００８５】
【図１】本発明によるインターポーザ付シートの巻体の一実施の形態の製造方法を示す斜視図。
【図２】本発明によるインターポーザ付シートの巻体の一実施の形態の製造方法を示す斜視図。
【図３】図２の３−３線に沿った断面図。
【図４】導電体を積層された支持シートの変形例を示す斜視図。
【図５】ＩＣタグのアンテナ形成済シートを示す斜視図。
【図６】本発明によるＩＣタグの一実施の形態の製造方法を示す断面図。
【図７】ＩＣタグの変形例の製造方法を示す断面図。
【図８】ＩＣタグの変形例の製造方法を示す断面図。
【図９】ＩＣタグの変形例の製造方法を示す断面図。
【図１０】ＩＣタグのアンテナ形成済シートの変形例を示す斜視図。
【符号の説明】
【００８６】
１  インターポーザ付シートの巻体
１ａ  巻取コア
２  インターポーザ付シート
５  ＩＣタグ
６  インターポーザ
７  アンテナ形成済シート
１０  支持シート
１２  導電体
１３  拡大電極
１５  ＩＣチップ
１５ａ  電極
１８  異方性導電性接着剤
２１  保護フィルム
２３  剥離紙
２５  非導電性接着剤
３１  貫通孔
３３  凸部
３５  切り込み
３７  ミシン目
４１  基材シート
４２  アンテナ回路
４２ａ  回路部
４２ｂ  接点
４５  アンテナ
【図１】
0004637499.tif 000002
【図２】
0004637499.tif 000003
【図３】
0004637499.tif 000004
【図４】
0004637499.tif 000005
【図５】
0004637499.tif 000006
【図６】
0004637499.tif 000007
【図７】
0004637499.tif 000008
【図８】
0004637499.tif 000009
【図９】
0004637499.tif 000010
【図１０】
0004637499.tif 000011